(57)【要約】    【課題】  開閉板４による閉鎖状態を確実なものとする。    【解決手段】  容器本体３にヒンジ部材５を介して設けた開閉板４を、容器本体３に形成した開口部７ａを閉鎖する閉鎖位置と、下方する開放位置との間で回動させる。開閉板を開放位置から閉鎖位置に付勢する第１付勢手段２１を設ける。ヒンジ部材５は、容器本体３に固定される第１軸受部１０と、第１軸受部１０に回転自在に支持され、回転可能な駆動軸部１１と、駆動軸部１１に回転自在に支持される第２軸受部１２とで構成する。第２軸受部１２は、開閉板４をその軸部４ｂを中心として回動可能に支持すると共に、該軸部４ｂを移動自在に支持する支持部１８と、閉鎖位置に位置する開閉板４を容器本体３に付勢する第２付勢手段２０とを備えたものとする。【選択図】図１
2005110786.tif 000002
【特許請求の範囲】
【請求項１】
容器本体にヒンジ部材を介して設けた開閉板を、前記容器本体に形成した開口部を閉鎖する閉鎖位置と、開放する開放位置との間で回動させるようにした薬品供給容器において、
前記開閉板を開放位置から閉鎖位置に付勢する第１付勢手段を設け、
前記ヒンジ部材は、容器本体に固定される第１軸受部と、該第１軸受部に回転自在に支持され、回転可能な駆動軸部と、該駆動軸部に回転自在に支持される第２軸受部とからなり、
前記第２軸受部は、開閉板をその軸部を中心として回動可能に支持すると共に、該軸部を移動可能に支持する支持部と、前記閉鎖位置に位置する開閉板を容器本体に付勢する第２付勢手段とを備えたことを特徴とする薬品供給容器。
【請求項２】
前記第１付勢手段と前記第２付勢手段を同一部材で構成したことを特徴とする請求項１に記載の薬品供給容器。
【請求項３】
吸引装置に接続される吸引口を備えた容器支持部材内に支持され、前記吸引装置を駆動することにより、前記吸引口を介して容器本体内に残留する薬品を除去可能としたことを特徴とする請求項１又は２に記載の薬品供給容器。
【請求項４】
前記容器本体を接地したことを特徴とする請求項１乃至３のいずれか１項に記載の薬品供給容器。
【請求項５】
前記容器本体に電圧を印加し、かつ、印加する電圧値を変化させたことを特徴とする請求項１乃至３のいずれか１項に記載の薬品供給容器。
【請求項６】
前記容器本体を振動させる振動発生手段を備えたことを特徴とする請求項１乃至５のいずれか１項に記載の薬品供給容器。
【請求項７】
前記容器本体は、表面に、下地層及び表面層を順次形成され、
前記下地層は、導電性材料とフッ素系樹脂を混合した接着剤を容器本体の表面に塗布し、加熱して乾燥した後、冷却することにより形成し、
前記表面層は、フッ素系樹脂を含有する塗装材を下地層の表面に塗装し、加熱して乾燥した後、さらに加熱することにより形成したことを特徴とする請求項１乃至６のいずれか１項に記載の薬品供給容器。
【請求項８】
前記下地層は、得られる表面抵抗が１０７Ω以下となるように、混合する導電性材料の割合が決定されることを特徴とする請求項７に記載の薬品供給容器。
【請求項９】
前記容器本体は、下地層を形成する前に、表面にブラスト処理又はニッケルクロム溶射を施したことを特徴とする請求項７又は８に記載の薬品供給容器。
【請求項１０】
前記容器本体は、開閉板が当接する位置に、前記下地層及び表面層を形成しないようにしたことを特徴とする請求項７乃至９のいずれか１項に記載の薬品供給容器。
【発明の詳細な説明】
【技術分野】
【０００１】
本発明は、薬品包装装置に採用される薬品供給容器に関するものである。
【背景技術】
【０００２】
一般に、薬品包装装置では、散薬等は一旦ホッパー等の薬品供給容器に貯留した後、包装のタイミングに合わせて包装紙へと供給し、包装するようにしている。
【０００３】
従来、薬品供給容器は、一時的に薬品を貯留した後、包装のタイミングに合わせて排出できるように、その下端開口部を開閉板によって開閉されるようになっている。
【発明の開示】
【発明が解決しようとする課題】
【０００４】
しかしながら、前記従来の薬品供給容器では、その加工精度、特に、開閉板の加工精度や組立精度に誤差が生じた場合、下端開口部と開閉板との間に隙間が発生するため、後工程での調整作業が必要となる。但し、誤差が開閉板の軸の傾きによるものである場合、後工程での調整作業はできず、廃棄処分とする必要がある。また、長期に亘る使用により、磨耗や劣化により、下端開口部と開閉板との間に隙間が発生することもある。
【０００５】
そこで、本発明は、開閉板による閉鎖状態を確実なものとできる薬品供給容器を提供することを課題とする。
【課題を解決するための手段】
【０００６】
本発明は、前記課題を解決するための手段として、容器本体にヒンジ部材を介して設けた開閉板を、前記容器本体に形成した開口部を閉鎖する閉鎖位置と、開放する開放位置との間で回動させるようにした薬品供給容器において、
前記開閉板を開放位置から閉鎖位置に付勢する第１付勢手段を設け、
前記ヒンジ部材は、容器本体に固定される第１軸受部と、該第１軸受部に回転自在に支持され、回転可能な駆動軸部と、該駆動軸部に回転自在に支持される第２軸受部とからなり、
前記第２軸受部は、開閉板をその軸部を中心として回動可能に支持すると共に、該軸部を移動可能に支持する支持部と、前記閉鎖位置に位置する開閉板を容器本体に付勢する第２付勢手段とを備えたものである。
【０００７】
この構成により、加工及び組立誤差、あるいは、使用による摩耗や劣化等により、容器本体の開口部に対して開閉板が傾いたとしても、開閉板の軸部が支持部で移動し、付勢部により開閉板が容器本体に押し付けられるので、開閉板による閉鎖状態が修正され、開口部を確実に閉鎖することができる。
【０００８】
前記第１付勢手段と前記第２付勢手段を同一部材で構成すると、構造が簡略化され、安価に製作可能となる点で好ましい。
【０００９】
吸引装置に接続される吸引口を備えた容器支持部材内に支持され、前記吸引装置を駆動することにより、前記吸引口を介して容器本体内に残留する薬品を除去可能とすると、容器本体内に残留する薬品を周囲に飛散することを防止しつつ除去することができる点で好ましい。
【００１０】
前記容器本体を接地すると、容器本体に付着した薬品を、容器本体に打撃等による力を作用させることにより簡単に脱落させることができ、残留薬品の除去を容易に行うことが可能となる。この結果、残留薬品が、次に容器本体を通過する薬品に混入することを防止でき、又、煩雑な清掃作業が不要となる。
【００１１】
前記容器本体に電圧を印加し、かつ、印加する電圧値を変化させると、前記同様、静電気による容器本体への薬品の付着を防止することができ、残留する薬品の除去を容易に行うことが可能となる点で好ましい。
【００１２】
前記容器本体に印加する電圧は、極性を正極と負極に交互に入れ替えるようにしてもよいし、高電位と低電位に交互に入れ替えるようにしてもよい。また、入れ替えるサイクルタイムも自由に設定可能である。
【００１３】
前記容器本体を振動させる振動発生手段を備えると、残留する薬品を強制的に容器本体から脱落させて確実に除去することが可能となる点で好ましい。
【００１４】
前記容器本体は、表面に、下地層及び表面層を順次形成され、
前記下地層は、導電性材料とフッ素系樹脂を混合した接着剤を容器本体の表面に塗布し、加熱して乾燥した後、冷却することにより形成し、
前記表面層は、フッ素系樹脂を含有する塗装材を下地層の表面に塗装し、加熱して乾燥した後、さらに加熱することにより形成すると、容器本体の表面に薬品を付着しにくくすることが可能となる点で好ましい。
【００１５】
この場合、前記下地層は、得られる表面抵抗が１０７Ω以下となるように、混合する導電性材料の割合を決定すればよい。
【００１６】
前記容器本体は、下地層を形成する前に、表面にブラスト処理又はニッケルクロム溶射を施すと、容器本体に対する下地層の接着状態を良好なものとすることができる点で好ましい。
【００１７】
前記容器本体は、開口部の開閉板が当接する位置に、前記下地層及び表面層を形成しないようにすると、各層を構成する材料の剥離等による落下を防止できる点で好ましい。
【００１８】
なお、前記容器本体には、散薬、顆粒剤、錠剤等の薬品が通過可能な構成のもの全てが含まれる。例えば、特開平１１−１２６１１２号公報等に開示される２２個の分割容器（公報中、符号６で示す。）等は、前記容器本体に該当する。
【００１９】
また、前記開閉板としては、矩形、楕円等、種々の平面形状のものが含まれ、又、曲面形状等であっても構わない。要は、開口部を閉鎖可能であればよい。材質についても特に制限されるものではなく、可撓性を有する材料で構成すれば、より一層、開閉板の閉鎖状態を確実なものとすることが可能である。
【００２０】
また、前記開口部は、容器本体の底面に限らず、側面に形成したものであってもよく、要は、開閉板で閉鎖することにより容器本体内に薬品を一時貯留し、開閉板を開放することにより排出可能となるように形成されていればよい。
【００２１】
また、前記第１付勢手段には、コイルバネ、ゴム、磁石、ソレノイド等が含まれる。要は、開放位置で、開閉板に作用させている外力を除去すると、開閉板を自動的に閉鎖位置へと回動させるものであればよい。
【００２２】
また、前記回動可能に支持するとは、開閉板を、その軸部を中心として回転させることにより、開口部を閉鎖する閉鎖位置と、開放する他の位置との間で回転できるように支持することを意味する。
【００２３】
また、前記移動可能に支持するとは、開閉板の軸部すなわち開閉板の傾斜角度を自由に変更できるように支持することを意味する。例えば、開閉板の軸部を縦長の挿通孔で支持する構成とした場合、軸部が各挿通孔内をそれぞれ自由にスライド可能となり、開閉板の傾斜角度を変更することが可能となる。また、挿通孔を支軸部よりも大きな内径寸法に形成すれば、軸部はいずれの方向にも自由に傾斜角度を変更することが可能となる。
【００２４】
また、前記第２付勢手段には、コイルバネ、ゴム、磁石、ソレノイド等が含まれる。要は、開閉板を閉鎖位置で容器本体へと押し付け可能な構成のものであればよい。
【００２５】
前記振動発生手段には、振動モータやソレノイド等が含まれる。低周波から高周波振動、あるいは、超音波振動等、容器本体に対して振動を与えることができるものであればよい。容器本体は、直接振動させてもよいし、何等かの部材を介して間接的に振動させてもよいし、あるいは、超音波発生装置等で非接触で振動させるようにしてもよい。
【００２６】
また、前記吸引装置には、掃除機等の容器本体に残留する薬品を吸引して除去可能なものの全てが含まれる。
【００２７】
また、前記吸引口には、単なる開口（円形、矩形等、形状は問わない。）のほかに、ノズル形状等も含まれ、前記吸引装置を駆動して容器本体に残留する薬品に吸引力を及ぼすことが可能なもの全てが含まれる。
【００２８】
また、前記導電性材料には、グラファイト粉末、カーボン粉末、アルミ粉末等が含まれる。最も好ましい材料は、グラファイト粉末、特に、多結晶で整列しているグラファイト粉末である。
【００２９】
また、前記フッ素系樹脂には、ヘキサフルオロプロピレン−テトラフルオロエチレン（ＦＥＰ）、アルキルビニルエーテル−テトラフルオロエチレン共重合体（ＰＦＡ）、ポリテトラフルオロエチレン（ＰＴＦＥ）、エチレン−テトラフルオロエチレン共重合体（ＥＴＦＥ）、ポリクロロトリフルオロエチレン（ＰＣＴＦＥ）、エチレン−クロロトリフルオロエチレン共重合体（ＥＣＴＦＥ）、ポリフッ化ビニリデン（ＰＶＤＦ）等が含まれる。
【００３０】
また、前記接着剤すなわち下地材として使用される接着剤には、ポリイミド、ポリビスマレイミド、ポリアミドイミド等が含まれる。要は、容器本体から塗料材が剥離することを防止し、かつ、導電性を有することにより塗料材表面に発生する静電気を容器本体を介して接地可能な材料であればよい。
【００３１】
また、前記塗料材には、エナメル系塗料材、アクリル系塗料材等が含まれる。
【００３２】
また、前記加熱は、室温以上に加熱する意であり、加熱方法には、赤外線照射、焼成炉等、種々の方法が含まれる。
【００３３】
また、前記下地層を形成する前に、素材の表面に、蒸着、スパッタリング、溶射を施し、表面粗さを増大させるのが好ましい。そして、前記下地層は、（焼付）塗装により形成することができる。
【００３４】
また、前記塗装材の塗装は、吹き付け、刷毛塗り、転写、スクリーン印刷等により行うことができる。最も好ましい方法は、吹き付けである。
【００３５】
また、前記塗装材の加熱は、１００〜４００℃で行うようにすればよい。例えば、エナメル塗料の場合には３８０℃、アクリル塗料の場合には２２０℃で焼成する。これにより、塗装材の表面強度及び硬度を高めることが可能となる。
【００３６】
また、前記下地層及び表面層を形成しない方法としては、マスキングや、後加工で塗装を機械加工やヤスリ等で除去する方法が含まれる。
【発明の効果】
【００３７】
本発明によれば、ヒンジ部材を、容器本体に固定される第１軸受部と、該第１軸受部に回転自在に支持され、回転可能な駆動軸部と、該駆動軸部に回転自在に支持される第２軸受部とで構成し、第２軸受部を、開閉板の支軸部を回動及び移動自在に支持する支持部と、開閉板を付勢して容器本体の開口部を閉鎖させる第２付勢手段とを備えた構成としたので、たとえ加工又は組立誤差、あるいは、使用による摩耗や劣化が発生したとしても、容器本体の開口部を開閉板で確実に閉鎖することが可能となる。
【発明を実施するための最良の形態】
【００３８】
以下、本発明に係る実施形態を添付図面に従って説明する。
【００３９】
図１及び図２は、本実施形態に係るホッパーを示す。このホッパーは、薬品供給容器１と、この薬品供給容器１を支持する容器支持部材２とからなる。
【００４０】
薬品供給容器１は、図２乃至図５に示すように、容器本体３と、開閉板４と、ヒンジ部材５とで構成されている。
【００４１】
容器本体３は、ＤＣ１２アルミダイカスト、ステンレス等の導電性材料を、下方に向かって徐々に断面積が小さくなる角錐形状に形成したものである。容器本体３は、内部が錠剤供給通路６と散薬供給通路７に区画されている。容器本体３の上方開口縁部から斜め下方に閉鎖片８が突設されている。また、容器本体３には、後述するように、表面処理が施され、散薬等が付着しにくくなっている（第００４９段落〜第００５２段落参照）。但し、容器本体３の一部には表面処理を施さない非処理部９ａ，９ｂ（図１参照）を形成する。非処理部９ａは、容器本体３の下端開口部７ａの縁部に形成される。また、非処理部９ｂは、容器本体３の側面に形成される、非処理部９ｂには、ソレノイド等によって衝撃力が与えられ、容器本体３を振動させることにより、内面に付着した散薬を落下させることができるようになっている。
【００４２】
開閉板４は、前記容器本体３の散薬供給通路７の下端開口部７ａを開閉する板状体で、一端側には軸受部４ａが形成されている。軸受部４ａには、後述する第２軸受部１２の挿通孔１８に挿通する軸部４ｂが取り付けられる。
【００４３】
ヒンジ部材５は、前記容器本体３の側面に一体化される第１軸受部１０と、この第１軸受部１０に回転自在に支持される駆動軸部１１と、この駆動軸部１１に回転自在に支持される第２軸受部１２とを備える。
【００４４】
第１軸受部１０は、矩形状の枠体１３から所定間隔で支持壁１４を突設させたものである。各支持壁１４の先端には貫通孔１４ａがそれぞれ穿設されている。各貫通孔１４ａには、円筒状のリング１５が圧入され、駆動軸部１１を回転自在に支持できるようになっている。
【００４５】
駆動軸部１１は、前記第１軸受部１０の支持壁１４に形成した貫通孔１４ａにリング１５を介して回転自在に支持される支軸部１６と、この支軸部１６から屈曲して延びる駆動部１７とで構成されている。駆動部１７は、図示しないソレノイド等によって押圧されるようになっている。駆動部１７を押圧することにより、駆動軸部１１は支軸部１６を中心として回転する。
【００４６】
第２軸受部１２は、支軸部１６が挿通される挿通孔１８と、前記軸受部と同様に、所定間隔で突設し、貫通孔１９ａを形成された支持壁１９とを備えている。挿通孔１８は、挿通される支軸部１６が移動できるように縦長に形成されている。但し、挿通孔１８の形状は、縦長に限らず、単純に支軸部１６に比べて大きな内径を有するものとしてもよく、要は支軸部１６が自由に移動可能であればよい。また、第２軸受部１２は、２箇所にガイド穴（図示せず）を形成され、補助バネ２０がそれぞれ配設されている。補助バネ２０は、開閉板４を押圧する。但し、補助バネ２０に代えて、ゴム、磁石、ソレノイド、エアシリンダ等を使用してもよい。なお、第２軸受部１２は、ネジ等により支軸部１６に回転不能に取り付けられる。
【００４７】
なお、駆動軸部１１の支軸部１６には、第２軸受部１２のほかに、コイルバネ２１及びバネ支持体２２が取り付けられる。コイルバネ２１は、一端部が前記軸受部に圧接するように延設され、他端部が環状となって第２軸受部１２にネジ止めされる。バネ支持体２２は、前記支軸部１６が貫通する貫通孔２２ａと、前記コイルバネ２１をネジ止めするためのネジ孔２２ｂとを形成されている。バネ支持体２２は、前記支軸部１６にネジ等により回転不能に固定される。
【００４８】
容器支持部材２は、前記薬品供給容器１が装着される容器収容部２３と、薬品供給容器１から供給された薬品を、図示しない包装装置へと導くガイド部２４とで構成されている。
【００４９】
容器収容部２３は、両端面に吸引口２５がそれぞれ形成されている。そして、図示しない吸引装置を駆動することにより、吸引口２５を介してホッパー内に残留する薬品を除去することが可能となっている。また、容器収容部２３は、前壁に前記薬品供給容器１の閉鎖片８が位置する第１切欠部２６が形成されている。また、容器収容部２３は、背壁に前記薬品供給容器１の軸受部が露出する第２切欠部２７が形成されている。そして、第２切欠部２７を構成する下縁には、外方に突出して前記駆動軸部１１をガイドするガイド片２８が突設されている。なお、容器収容部２３は接地されており、容器本体３との接触部分（導通部）を介して容器本体３の帯電を防止できるようになっている。
【００５０】
ガイド部２４は、図示しない包装装置で２つ折り状態で用意される包装紙にスムーズに薬品を供給できるように、先端が略Ｖ字状に分離した構成となっている。なお、容器支持部材２の容器収容部２３に収容された薬品供給容器１は、固定金具２９を使用してビス３０によって容器収容部２３に取り外し可能に固定される。
【００５１】
続いて、前記容器本体３の表面処理について説明する。ここでの表面処理は、脱脂処理、下地処理、及び、塗装処理の順で行う。以下、各処理について解説する。
【００５２】
脱脂処理では、焼成脱脂方法又は薬品洗浄方法のいずれかにより行う。焼成脱脂方法では、２００℃以上の溶融限界温度以下で焼成した後、表面に形成された酸化膜をサンドショット、バレル研磨、あるいは、ブラスト処理（スチールグリッド♯３０を用いてブラストマシンにより行う）により除去する。薬品洗浄方法では、例えば、トリクレン，シンナー，フロン洗浄液等により洗浄する。また、容器本体３をアルミ合金で形成する場合、酸又はアルカリ洗浄により表面をエッチングすればよい。なお、本実施形態では、３８０℃で焼成し、２時間自然冷却した後、サンドショットで酸化膜を除去した。
【００５３】
下地処理では、脱脂処理した容器本体３の表面に下地材により２層構造の下地層を形成する。下地材としては、例えば、接着剤にフッ素系樹脂とグラファイトを混合したものを使用できる。接着剤には、ポリイミド、ポリビスマレイミド、ポリアミドイミド、及び、芳香族ポリアミド等を使用できる。これらの中から１種類以上を選択すればよい。フッ素系樹脂には、テトラフロオロエチレン単独重合体、又は、テトラフルオロエチレンと含フッ素α−オレフィンの共重合体を含有する変性テトラフルオロエチレン重合体等が使用できる。フッ素系樹脂は、下地層の下層に比べて上層で、含フッ素α−オレフィンの含有量が多くなるようにすればよい。グラファイトには、結晶性（多結合）で、粒径が数ミクロンから数百ミクロンの炭素分子を使用できる。この場合、接着剤及びフッ素系樹脂に対するグラファイトの混合比率は、６〜７０％とすればよく、好ましくは、約３０％とすればよい。これにより、下地層の表面抵抗を１０７Ω（オーム）以下とすることが可能となる。なお、本実施形態では、１２０℃で３０分間乾燥して冷却することにより、１０〜３０μｍの厚みを有する下地層を形成した。但し、非処理部９ａ，９ｂには、テープ、ロウ、シールのほか、高温で可燃又は気化する化学物質等によりマスキングを施しておき、下地処理がされないようにする。
【００５４】
塗装処理では、下地層の表面に塗装材により表面層を形成する。塗装材としては、ワニスを主とするエナメル塗料に、前記下地層と同様に、例えば、接着剤、フッ素系樹脂、及び、グラファイトを混合したものを使用できる。塗装材による表面層の形成方法は、エアスプレーガンで厚みが１５〜２０μｍとなるまで塗装し、１００℃で２０分間乾燥した後、３８０℃で３０分間焼成する塗装処理を、表面層の全体の厚さが７０μｍとなるまで繰り返すことにより行った（ここでは３回）。なお、非処理部９ａ，９ｂに施したマスキングは、塗装処理後に除去する。
【００５５】
次に、前記ホッパーの動作について説明する。
【００５６】
薬品供給容器１では、初期状態で、図６（ａ）に示すように、散薬供給通路７の下端開口部がコイルバネ２１の付勢力で開閉板４によって閉鎖されている。そして、この初期状態で、図示しない散薬供給装置から散薬供給通路７側に１包分の散薬を供給し、一旦、ここで貯留する。
【００５７】
そして、図示しないソレノイドを励磁し、駆動軸部１１の駆動部１７を押圧することにより、図６（ｂ）に示すように、駆動軸部１１を支軸部１６を中心として回転させる。これにより、開閉板４が散薬供給通路７の下端開口部を開放し、貯留した散薬が落下する。薬品供給容器１は接地されていると共に、内面に表面処理が施されているため、散薬が付着しにくくなっている。このため、散薬供給通路７内の散薬はスムーズに、図示しない包装装置へと落下する。
【００５８】
表１に、前記表面処理を施した薬品供給容器１と、従来同様の表面処理を施した薬品供給容器１とで、各試薬の付着状況を比較した結果を示す。ここに、ＥＰ−ＦＣＰとは、本発明に係る表面処理である帯電防止処理フッ素樹脂焼成塗装を意味し、ＳＰＣとは、従来の表面処理である硬質アルマイトフッ素樹脂吸着処理を意味する。また、前記薬品供給容器１にはダイカスト製のものを使用した。また、実験条件としては、図８に示すように、薬品供給容器１を横向きとし、順次、各試薬を所定量（各試薬に応じた供給可能性のある量）ずつ供給する。その後、図９Ａ及び図９Ｂに示すように、９０度回転させて通常の使用状態での位置とし、試薬の残量を目視により観察した。この結果、試薬として乳酸カルシウムを使用したものでは、図９Ａに示す前記表面処理を施した薬品供給容器１では、残薬は少量となったのに対し、図９Ｂに示す従来同様の表面処理を施した薬品供給容器１では、残薬は図９Ａに比べて多くなっていた。
【００５９】
【表１】
2005110786.tif 000003
（表１中、◎：なし、○：僅か、△：少量、▲：やや多め）
【００６０】
またこのとき、容器本体３の非処理部９に、図示しないソレノイドを駆動して衝撃力を作用させる。このため、たとえ散薬供給通路７の内面に散薬が付着していたとしても、確実に包装装置へと落下される。前記表１の各試薬では、残薬の量は全くなくなっていた。
【００６１】
このようにして包装装置への散薬の供給が完了すれば、ソレノイドを消磁し、駆動部１７に作用させた押圧力を解除する。これにより、駆動軸部１１は、コイルバネ２１の付勢力に従って支軸部１６を中心として回転し、開閉板４を散薬供給通路７の下端開口部へと向かわせる。この場合、支軸部１６は、第２軸受部１２に形成した縦長の挿通孔１８を移動可能である。また、開閉板４は補助バネ２０によって第２軸受部１２から離れるように付勢されている。したがって、加工精度のばらつきや組立誤差により、散薬供給通路７の下端開口部に対して開閉板４が傾いていたとしても、支軸部１６が挿通孔１８内で傾きを許容され、補助バネ２０によって開閉板４が下端開口部に押し付けられるので、閉鎖状態を確実なものとすることができる。また、長期に亘る使用により開閉板４や下端開口部等が摩耗したり、開閉板４の回動にずれが発生したとしても、前記挿通孔１８及び補助バネ２０の働きにより修正し、開閉板４による下端開口部の閉鎖状態を確実なものとすることができる。
【００６２】
なお、前記実施形態では、容器本体３に錠剤供給通路６及び散薬供給通路７を形成するようにしたが、散薬供給通路７のみを備えた構成としてもよい。また、容器本体３は複数並設される構成としてもよく、その数量は問題としない。
【００６３】
また、前記実施形態では、容器本体３を接地することにより静電気を除去するようにしたが、電圧を印加することにより除去することも可能である。例えば、正極と負極とを交互に印加してもよい。また、高電位（２０Ｖ）と低電位（５Ｖ）とを交互に印加するようにしてもよい。この場合、電位を変化させるサイクルタイムとしては、例えば、高電位を１０秒、低電位を３秒とすればよい。
【００６４】
また、前記実施形態では、付勢手段としてコイルバネ２１、付勢部として補助バネ２０を使用したが、図７に示すように、両者を一体化した構成としてもよい。すなわち、コイルバネ２１の一端部２１ａを枠体１３に圧接し、他端部２１ｂを開閉板４に圧接する。この結果、コイルバネ２１のみによって、図７（ｂ）から図７（ａ）への開閉板４による開口部７ａの自動閉鎖のみならず、閉鎖位置での開閉板４の傾き修正をも行うことが可能となる。
【図面の簡単な説明】
【００６５】
【図１】本実施形態に係る薬品供給容器を備えたホッパーの斜視図である。
【図２】図１の分解斜視図である。
【図３】図１の平面図である。
【図４】図１の正面図である。
【図５】図１の側面図である。
【図６】図５の部分拡大図で、（ａ）は閉鎖状態、（ｂ）は開放状態をそれぞれ示す。
【図７】他の実施形態に係る付勢手段及び付勢部を備えたホッパーの部分拡大図で、（ａ）は閉鎖状態、（ｂ）は開放状態をそれぞれ示す。
【図８】各薬剤供給容器を横倒しにした状態で、試薬（乳酸カルシウム）を配置した状態を示す図である（左側が従来例、右側が本発明）。
【図９Ａ】図８の右側（本発明）の薬品供給容器を９０度回転させて試薬を落下させた後の状態を示す図である。
【図９Ｂ】図８の左側（従来例）を同様にして試薬を落下させた後の状態を示す図である。
【符号の説明】
【００６６】
１…薬品供給容器
２…容器支持部材
３…容器本体
４…開閉板
４ａ…軸受部
４ｂ…軸部
５…ヒンジ部材
６…錠剤供給通路
７…散薬供給通路
７ａ…下端開口部
８…閉鎖片
９ａ，９ｂ…非処理部
１０…第１軸受部
１１…駆動軸部
１２…第２軸受部
１３…枠体
１４…支持壁
１４ａ…貫通孔
１５…リング
１６…支軸部
１７…駆動部
１８…挿通孔（支持部）
１９…支持壁
１９ａ…貫通孔
２０…補助バネ（第２付勢手段）
２１…コイルバネ（第１付勢手段）
２２…バネ支持体
２２ａ…貫通孔
２２ｂ…ネジ孔
２３…容器収容部
２４…ガイド部
２５…吸引口
２６…第１切欠部
２７…第２切欠部
２８…ガイド片
２９…固定金具
３０…ビス
【図１】
2005110786.tif 000004
【図２】
2005110786.tif 000005
【図３】
2005110786.tif 000006
【図４】
2005110786.tif 000007
【図５】
2005110786.tif 000008
【図６】
2005110786.tif 000009
【図７】
2005110786.tif 000010
【図８】
2005110786.tif 000011
【図９Ａ】
2005110786.tif 000012
【図９Ｂ】
2005110786.tif 000013